(57)【特許請求の範囲】
【請求項１】
利用者が携帯するタグと、エリア内に複数個設置され、自らを識別するアンテナＩＤを前記タグに送信し、前記タグが送信したアンテナＩＤを受信するタグリーダと、前記タグリーダに割り付けられ、前記タグリーダが受信したアンテナＩＤが前記タグリーダを識別するアンテナＩＤと一致した場合点灯し、前記タグリーダを識別するアンテナＩＤの受信が第１の時間以上無い場合消灯する照明機器と、を備え、
前記タグは、アンテナＩＤを予め登録しておく自席アンテナＩＤ登録手段と、受信したアンテナＩＤを前記タグリーダに送信する送信手段と、前記自席アンテナＩＤ登録手段に登録されているアンテナＩＤの中に、受信したアンテナＩＤと一致するものがあるとき、受信したアンテナＩＤを前記送信手段に送信させるアンテナＩＤ判定手段と、前記自席アンテナＩＤ登録手段に登録されているアンテナＩＤの中に、受信したアンテナＩＤと一致するものが無いとき、前記自席アンテナＩＤ登録手段に登録されているアンテナＩＤによって識別される全ての前記タグリーダからの受信が第２の時間以上無い場合、受信したアンテナＩＤを前記送信手段に送信させ、前記自席アンテナＩＤ登録手段に登録されているアンテナＩＤによって識別されるいずれかの前記タグリーダからの受信が第２の時間以内にあった場合、前記送信手段に何も送信させない、受信タイムアウト判定手段と、を備えたことを特徴とする照明システム。
【請求項２】
前記タグは、送信したアンテナＩＤを記憶する前回通信アンテナＩＤ登録手段と、前記前回通信アンテナＩＤ登録手段に登録されているアンテナＩＤが第３の時間以上変化がない場合、前記送信手段にアンテナＩＤを送信させる頻度を減らす通信頻度制御手段と、をさらに備えたことを特徴とする請求項１に記載の照明システム。
【請求項３】
前記通信頻度制御手段は、前記前回通信アンテナＩＤ登録手段に登録されているアンテナＩＤが第３の時間以上変化がない場合、アンテナＩＤの受信回数に対して前記送信手段にアンテナＩＤを送信させる回数を、所定の受信回数に対して１回とすることを特徴とする請求項２に記載の照明システム。
【請求項４】
前記タグリーダは、自らを識別するアンテナＩＤを予め登録しておくアンテナＩＤ登録手段と、前記アンテナＩＤ登録手段に登録されているアンテナＩＤと受信したアンテナＩＤとが一致した場合、前記タグリーダに割り付けられた照明機器に点灯指令を送信するとともに、第１の時間以上前記アンテナＩＤ登録手段に登録されているアンテナＩＤの受信が無い場合、前記タグリーダに割り付けられた照明機器に消灯指令を送信する受信有無通知手段と、を備えたことを特徴とする請求項１から請求項３のいずれかに記載の照明システム。
【請求項５】
前記照明機器は、前記受信有無通知手段から点灯指令を受けた場合照明を点灯し、消灯指令を受けてから第４の時間以内に点灯指令が無い場合照明を消灯することを特徴とする請求項４に記載の照明システム。
【発明の詳細な説明】
【技術分野】
【０００１】
本発明は、タグを備えた部屋内の利用者の存在位置によって照明の点灯と消灯とを制御する照明システムに関するものである。
【背景技術】
【０００２】
部屋内の利用者の存在位置によって照明の点灯と消灯とを制御する照明システムの例として、例えば特許文献１では照明器具の近傍に設けられている受信器と、利用者が携帯するタグ(携帯装置)とが通信し、通信を行っている間は予め登録されている識別情報によって照明手段を点灯及び調光制御する照明器具が提案されている。しかしながら、照明機器が部屋内に複数設置され、照明器具の近傍に設けられている複数の受信器の電波がお互いに重なり合うエリアに利用者が位置した場合、利用者が携帯するタグは複数の受信器すべてと通信することになり、タグの電池の消耗が大きくなるという問題点がある。
【先行技術文献】
【特許文献】
【０００３】
【特許文献１】特開２００５−２５９４３０号公報
【発明の概要】
【発明が解決しようとする課題】
【０００４】
本発明の目的は、上記課題を解消し、利用者が備えたタグの電池の消耗をより小さくする照明システムを提供することである。
【課題を解決するための手段】
【０００５】
本発明に係る照明システムでは、利用者が携帯するタグと、エリア内に複数個設置され、自らを識別するアンテナＩＤをタグに送信し、タグが送信したアンテナＩＤを受信するタグリーダと、タグリーダに割り付けられ、タグリーダが受信したアンテナＩＤがタグリーダを識別するアンテナＩＤと一致した場合点灯し、タグリーダを識別するアンテナＩＤの受信が第１の時間以上無い場合消灯する照明機器と、を備え、タグは、アンテナＩＤを予め登録しておく自席アンテナＩＤ登録手段と、受信したアンテナＩＤをタグリーダに送信する送信手段と、自席アンテナＩＤ登録手段に登録されているアンテナＩＤの中に、受信したアンテナＩＤと一致するものがあるとき、受信したアンテナＩＤを送信手段に送信させるアンテナＩＤ判定手段と、自席アンテナＩＤ登録手段に登録されているアンテナＩＤの中に、受信したアンテナＩＤと一致するものが無いとき、自席アンテナＩＤ登録手段に登録されているアンテナＩＤによって識別される全てのタグリーダからの受信が第２の時間以上無い場合、受信したアンテナＩＤを送信手段に送信させ、自席アンテナＩＤ登録手段に登録されているアンテナＩＤによって識別されるいずれかのタグリーダからの受信が第２の時間以内にあった場合、送信手段に何も送信させない、受信タイムアウト判定手段と、を備えたことを特徴とする。
【発明の効果】
【０００６】
本発明に係る照明システムでは、上記の様に構成したので、予めタグに登録してあるタグリーダの近傍に居るとき、登録しているタグリーダにのみ応答することで、タグの消費電力をより小さくすることができるという効果を奏する。
【図面の簡単な説明】
【０００７】
【図１】本発明の実施の形態１における照明システムの全体構成図である。
【図２】本発明の実施の形態１における照明システムの部屋内の配置図である。
【図３】本発明の実施の形態１における照明システムの詳細構成図である。
【図４】本発明の実施の形態１における照明システムのタグの動作を示すフローチャートである。
【図５】本発明の実施の形態１における照明システムのタグリーダの動作を示すフローチャートである。
【図６】本発明の実施の形態１における照明システムの照明機器の動作を示すフローチャートである。
【図７】本発明の実施の形態１における照明システムの、利用者が自席を離れている場合のタグの応答の概略図である。
【図８】本発明の実施の形態１における照明システムの、利用者が自席近辺に居る場合のタグの応答の概略図である。
【図９】本発明の実施の形態２における照明システムの詳細構成図である。
【図１０】本発明の実施の形態２における照明システムのタグ動作を示すフローチャートである。
【発明を実施するための形態】
【０００８】
実施の形態１
以下、本実施の形態の構成及び動作を図１〜図８を用いて説明する。
図１は、本実施の形態における照明システムの全体構成図である。図において１００は利用者４０１が携帯するタグである。請求項中のエリアとは、本実施の形態においては図示しない部屋のことを指すが、例えば街頭などが設置されている広場や、屋内のホールなど、屋内屋外は問わない。
【０００９】
２００はタグリーダ、３００は照明機器であり、タグリーダ２００と照明機器３００は１対１で対応付けられている。
【００１０】
３０１は照明（例として電球）であり、照明制御手段３０２で点灯／消灯状態を制御する。
【００１１】
４０２はタグリーダが送信する下り電波であり、タグ１００を起動する信号とタグリーダ２００を識別するアンテナＩＤを含んでいる。
【００１２】
４０３はタグが送信する上り電波であり、アンテナＩＤを含んでいる。
【００１３】
タグリーダ２００はタグ１００に対して下り電波４０２を送信し、タグ１００が下り電波４０２を受信し、タグが送信した上り電波４０３を受信すると、タグリーダ２００に対応した照明機器３００は照明制御手段３０２に接続された照明３０１を点灯状態にする。
【００１４】
図２は、本実施の形態における照明システムの部屋内の配置図である。２００ａ、２００ｂ、２００ｃ、２００ｄは部屋内の天井に配置されたタグリーダである。
【００１５】
３００ａはタグリーダ２００ａに対応する照明機器、３００ｂはタグリーダ２００ｂに対応する照明機器、３００ｃはタグリーダ２００ｃに対応する照明機器、３００ｄはタグリーダ２００ｄに対応する照明機器である。
【００１６】
３０１ａは照明機器３００ａに接続する照明、３０１ｂは照明機器３００ｂに接続する照明、３０１ｃは照明機器３００ｃに接続する照明、３０１ｄは照明機器３００ｄに接続する照明である。
【００１７】
４０２ａはタグリーダ２００ａが送信する下り電波到達圏内、４００ｂはタグリーダ２００ｂが送信する下り電波到達圏内、４００ｃはタグリーダ２００ｃが送信する下り電波到達圏内、４００ｄはタグリーダ２００ｄが送信する下り電波到達圏内である。
【００１８】
図３は、本実施の形態における照明システムの詳細構成図である。なお、請求項中の送信手段とは本実施の形態ではタグ送信手段１０６のことを指す。
【００１９】
タグ１００は、タグ受信手段１０１、アンテナＩＤ抽出手段１０２、アンテナＩＤ判定手段１０３、受信タイムアウト判定手段１０４、自席アンテナＩＤ登録手段１０５及びタグ送信手段１０６からなる。タグ１００はタグリーダ２００から送信されるタグ起動信号によって起動する。
【００２０】
自席アンテナＩＤ登録手段１０５には予め自席近傍のアンテナＩＤが１つ以上登録されているものとする。
【００２１】
タグ受信手段１０１は、タグリーダが送信した下り電波４０２を受信する。
【００２２】
アンテナＩＤ抽出手段１０２は、タグ受信手段１０１が受信した下り電波４０２に含まれるデータからアンテナＩＤを抽出する。
【００２３】
アンテナＩＤ判定手段１０３は、予め自席アンテナＩＤ登録手段１０５に登録されているアンテナＩＤのうち、アンテナＩＤ抽出手段１０２が抽出したアンテナＩＤと一致するものがある場合は、タグ送信手段１０６にアンテナＩＤを送信する指令を出す。
【００２４】
予め自席アンテナＩＤ登録手段１０５に登録されているアンテナＩＤのうち、アンテナＩＤ抽出手段１０２が抽出したアンテナＩＤと一致するものが無い場合、受信タイムアウト判定手段１０４は自席アンテナＩＤ登録手段に予め登録されているアンテナＩＤに対応するタグリーダが送信する下り電波４０２の受信を第２の時間以内に検知しているかどうかの判定を行う。
【００２５】
受信タイムアウト判定手段１０４が第２の時間以内に該当する電波を検知していると判定した場合は、利用者は自席近傍に居るということになり、タグ送信手段１０６にアンテナＩＤを送信する指令を送信しない。その結果、タグ送信手段１０６は下り電波４０２に対する上り電波は送信しない。
【００２６】
受信タイムアウト判定手段１０４が第２の時間以内に該当する電波を検知していないと判定した場合は、利用者は自席近傍に居ないということになり、タグ送信手段１０６にアンテナＩＤを送信する指令を出し、その結果、タグ送信手段１０６は下り電波４０２に対する上り電波を送信する。
【００２７】
上り電波送信手段１０６は、タグＩＤ登録手段が送信指令を受けた場合にアンテナＩＤを上り電波として送信する。
【００２８】
なお、第２の時間は例えば自席を離れてから部屋内の他の場所に移動する時間を想定すればよい（例えば３秒）。第２の時間は照明システムの管理者が適宜変更できるようにしてもよい。
【００２９】
タグリーダ２００は、タグ起動信号生成手段２０１、アンテナＩＤ登録手段２０２、信号重畳手段２０３、タグリーダ送信手段２０４、タグリーダ受信手段２０５、アンテナＩＤ抽出手段２０６、受信有無手段２０７からなる。
【００３０】
タグ起動信号生成手段２０１はタグ１００を起動するためのタグ起動信号を生成する。
【００３１】
アンテナＩＤ登録手段２０２は、タグリーダ２００を識別するアンテナＩＤを予め登録しておく。
【００３２】
信号重畳手段２０３は、タグ起動信号生成手段２０１で生成されたタグ起動信号と、アンテナＩＤ登録手段２０２に登録されているアンテナＩＤとを重畳し、下り電波送信手段に伝送する。
【００３３】
タグリーダ送信手段２０４は、信号重畳手段２０３が重畳したタグ起動信号とアンテナＩＤを含むデータを下り電波４０２として送信する。
【００３４】
タグリーダ受信手段２０５は、タグ１００が送信した上り電波４０３を受信する。
【００３５】
アンテナＩＤ抽出手段２０６は、タグリーダ受信手段１０５が受信した上り電波４０２に含まれるデータからアンテナＩＤを抽出する。
【００３６】
受信有無通知手段２０７は、アンテナＩＤ抽出手段２０６が抽出したアンテナＩＤとアンテナＩＤ登録手段２０２に登録されているアンテナＩＤとが一致した場合、照明機器３００に点灯指令を送信し、一方第１の時間以上アンテナＩＤ登録手段２０２に登録されているアンテナＩＤと一致するアンテナＩＤの受信が無い場合、照明機器３００に消灯指令を送信する。
【００３７】
なお、第１の時間はタグリーダの送信頻度（例えば２５０ミリ秒）にくらべて充分長い時間を想定すればよい（例えば１０秒）。第１の時間は照明システムの管理者が適宜変更できるようにしてもよい。
【００３８】
照明機器３００は、照明３０１と照明制御手段３０２からなる。
【００３９】
照明３０１は白熱電球、蛍光灯もしくはＬＥＤ電球などの一般的な照明のことであり、同一の機能を有するものであれば種類は問わない。
【００４０】
照明制御手段３０２は、受信有無通知手段２０６が送信する点灯指令及び消灯指令の受信の有無によって、照明３０１の点灯／消灯を制御する。照明制御手段３０２は点灯指令を受信したとき、即時に照明３０１を点灯する。照明制御手段３０２は消灯指令を受信したとき、第４の時間以内に再び点灯指令を受信しない場合は照明３０１を消灯し、第４の時間以内に再び点灯指令を受信した場合は照明３０１の点灯状態を維持する。
【００４１】
なお、第４の時間は部屋内の利用者が、点灯している照明の位置から他の場所に移動した後充分な時間を想定すればよい（例えば３０秒）。第４の時間は照明システムの管理者が適宜変更できるようにしてもよい。
【００４２】
次に本実施の形態の動作について説明する。図４は、タグ１００の動作を表すフローチャートであり、タグリーダ２００が送信した下り電波４０２をタグ１００が受信したときに実行される。
【００４３】
下り電波受信手段１０１は、タグリーダ２００からの下り電波４０２を受信する（Ｓ１０１）。
【００４４】
アンテナＩＤ抽出手段１０２は、タグ受信手段１０１で受信した下り電波４０２に含まれるデータからアンテナＩＤを抽出する（Ｓ１０２）。
【００４５】
アンテナＩＤ判定手段１０３は、自席アンテナＩＤ登録手段１０５に予め登録されているアンテナＩＤの中にＳ１０２で抽出したアンテナＩＤが有るかどうかを判定する（Ｓ１０３）。
【００４６】
Ｓ１０３にて、自席アンテナＩＤ登録手段１０５に予め登録されているアンテナＩＤの中にＳ１０２で抽出したアンテナＩＤが有る場合（Ｓ１０３のＹ）、受信した下り電波４０２を送信したタグリーダ２００に対して、アンテナＩＤを送信するようにタグ送信手段１０６に指令を出し、タグ送信手段１０６はタグリーダ２００に対して上り電波４０３を送信後、処理を終了する（Ｓ１０４）。
【００４７】
Ｓ１０３にて、自席アンテナＩＤ登録手段１０５に予め登録されているアンテナＩＤの中にＳ１０２で抽出したアンテナＩＤが無い場合（Ｓ１０３のＹ）、受信タイムアウト判定手段１０４は自席アンテナＩＤ登録手段１０５に予め登録されているアンテナＩＤに識別されるタグリーダ１００からの下り電波４０２を第２の時間以内に検知したかどうかを判定する（Ｓ１０５）。
【００４８】
Ｓ１０５にて、自席アンテナＩＤ登録手段１０５に予め登録されているアンテナＩＤに識別されるタグリーダ２００からの下り電波４０２を第２の時間以内に検知した場合（Ｓ１０５のＹ）、受信タイムアウト判定手段１０４はタグ送信手段１０６への送信指令を送信しない。結果タグ送信手段１０６は何も送信せずに処理を終了する。
【００４９】
Ｓ１０５にて、自席アンテナＩＤ登録手段１０５に予め登録されているアンテナＩＤに識別されるタグリーダ２００からの下り電波４０２を第２の時間以内に検知しなかった場合（Ｓ１０５のＮ）、受信した下り電波４０２を送信したタグ２００に対して、アンテナＩＤを送信するようにタグ送信手段１０６に指令を出し、タグ送信手段１０６は上り電波４０３を送信後、処理を終了する（Ｓ１０４）。
【００５０】
図５はタグリーダ２００の上り電波４０３の受信後の動作を表すフローチャートであり、上り電波４０３を受信したときと、第１の時間よりも充分短い一定時間毎に実行される。
【００５１】
まず、上り電波受信手段２０５がタグ１００からの上り電波４０３を受信したかどうか判定する（Ｓ２０１）。
【００５２】
Ｓ２０１にて、上り電波受信手段２０５が上り電波４０３を受信した場合（Ｓ２０１のＹ）、アンテナＩＤ抽出手段２０６は、受信した上り電波４０３に含まれるデータからアンテナＩＤを抽出する（Ｓ２０２）。
【００５３】
受信有無通知手段２０７はＳ２０２で抽出されたアンテナＩＤとアンテナＩＤ登録手段２０２に登録されているアンテナＩＤとが一致するかどうか判定する（Ｓ２０３）。
【００５４】
Ｓ２０３にて、Ｓ２０２で抽出されたアンテナＩＤとアンテナＩＤ登録手段２０２に登録されているアンテナＩＤとが一致する場合（Ｓ２０３のＹ）、受信有無通知手段２０７は照明制御手段３０２に点灯指令を送信して（Ｓ２０５）、処理を終了する。
【００５５】
Ｓ２０３にて、Ｓ２０２で抽出されたアンテナＩＤとアンテナＩＤ登録手段２０２に登録されているアンテナＩＤとが一致しない場合（Ｓ２０３のＮ）、照明制御手段３０２に何も送信せずに処理を終了する。
【００５６】
一方Ｓ２０１にて、上り電波受信手段２０５における上り電波４０３の受信が無い場合（Ｓ２０１のＮ）、受信有無通知手段２０７はアンテナＩＤ登録手段２０２に登録されているアンテナＩＤと一致するアンテナＩＤの受信が第１の時間以上の期間無いかどうかを判定する（Ｓ２０５）。
【００５７】
Ｓ２０５にて、第１の時間以上の期間アンテナＩＤ登録手段２０２に登録されているアンテナＩＤと一致するアンテナＩＤの受信が無い場合（Ｓ２０５のＮ）、受信有無通知手段２０７は照明制御手段３０２に消灯指令を送信して（Ｓ２０６）、処理を終了する。
【００５８】
一方Ｓ２０５にて、アンテナＩＤ登録手段２０２に登録されているアンテナＩＤと一致するアンテナＩＤの受信が無い期間が第１の時間に満たない場合（Ｓ２０５のＮ）は、照明制御手段３０２に何も送信せずに処理を終了する。
【００５９】
図６は照明機器３００の動作を表すフローチャートであり、受信有無通知手段２０７が照明制御手段３０２に点灯指令もしくは消灯指令を送信したときに実行される。通知が無い場合、照明制御手段３０２は照明３０１の点灯／消灯状態を維持する。
【００６０】
まず、照明制御手段３０２が受信有無通知手段２０７から点灯指令を受信したか否かを判定する（Ｓ３０１）。
【００６１】
Ｓ３０１にて、照明制御手段３０２が点灯指令を受信した場合（Ｓ３０１のＹ）、照明制御手段３０２は照明３０１を点灯状態にして（Ｓ３０２）、処理を終了する。
【００６２】
Ｓ３０１にて、照明制御手段３０２が点灯指令を受信していない場合（Ｓ３０１のＮ）、照明制御手段３０２が受信有無通知手段２０７から消灯指令を受信したか否かを判定する（Ｓ３０３）。
【００６３】
Ｓ３０３にて、照明制御手段３０２が消灯指令を受信した場合（Ｓ３０３のＹ）、照明制御手段３０２が消灯指令を受信してから第４の時間以内に点灯指令を受信したか否かを判定する（Ｓ３０４）。
【００６４】
Ｓ３０４にて、照明制御手段３０２が消灯指令を受信してから第４の時間以内に点灯指令を受信した場合（Ｓ３０４のＹ）、照明制御手段３０２は照明３０１を点灯状態にして（Ｓ３０２）、処理を終了する。
一方Ｓ３０４にて、照明制御手段３０２が消灯指令を受信してから第４の時間以内に点灯指令を受信していない場合（Ｓ３０４のＮ）、照明制御手段３０２は照明３０１を消灯状態にして（Ｓ３０５）、処理を終了する。
【００６５】
また一方Ｓ３０１にて、照明制御手段３０２が点灯指令を受信していない場合（Ｓ３０３のＮ）、照明制御手段３０２は照明３０１の点灯／消灯状態を維持し（Ｓ３０６）、処理を終了する。
【００６６】
図７は本実施の形態における照明システムの、利用者が自席を離れている場合のタグの応答の概略図である。図２と共通の部分の説明は省略する。
【００６７】
図７に示すように、タグリーダ２００ａと２００ｂの近傍の位置に自席４０４が位置し、タグ１００の自席アンテナＩＤ登録手段１０５には、自席近辺に位置するタグリーダ２００ａとタグリーダ２００ｂのアンテナＩＤが予め登録されているものとする。
【００６８】
また自席４０４から離れたタグリーダ２００ｄの電波圏内４０２ｄにタグ１００を備えた利用者４０１が位置し、自席４０４近辺のタグリーダ２００ａと２００ｂのそれぞれの電波圏内４０２ａと４０２ｂには居ないものとする。
【００６９】
利用者４０１が備えたタグ１００は、タグリーダ２００ｄから送信された下り電波４０２ｄを受信する。
【００７０】
タグ１００はタグリーダ２００ｄに対して上り電波４０３ｄを送信し、タグリーダ２００ｄに割り付けられている照明器具３００ｄは、照明３０１ｄを点灯状態にする。
【００７１】
図８は本実施の形態における照明システムの、利用者が自席近傍にいる場合のタグの応答の概略図である。図２及び図６と共通の部分の説明は省略する。
【００７２】
図８に示すように、自席４０４近傍のタグリーダ２００ａ、２００ｂ、２００ｃ及び２００ｄの電波圏内４０２ａ、４０２ｂ、４０２ｃ及び４０２ｄが重なり合う位置にタグ１００を備えた利用者４０１が位置するものとする。
【００７３】
図８と同じく、タグ１００の自席アンテナＩＤ登録手段１０５には、自席近辺に位置するタグリーダ２００ａとタグリーダ２００ｂのアンテナＩＤが予め登録されているものとする。
【００７４】
利用者が備えたタグ１００は、タグリーダ２００ａ、２００ｂ、２００ｃ及び２００ｄの下り電波４０２ａ、４０２ｂ、４０２ｃ及び４０２ｄを逐次受信する。
【００７５】
タグ１００は自席アンテナＩＤ登録手段１０５に予め登録されているアンテナＩＤに対応するタグリーダ２００ａと２００ｂの下り電波４０２ｃと４０２ｄに対してのみ、上り電波４０３ａ、４０３ｂを送信し、照明器具３００ａと３００ｂは照明３０１ａと３００ｂとを点灯状態にする。
【００７６】
一方タグリーダ２００ｃと２００ｄの下り電波４０２ｃと４０２ｄには応答せずに、照明器具３００ｃと３００ｄは、現状の点灯状態を維持する。
【００７７】
上述したとおり、本実施の形態では、タグ１００に予め自席の近傍にある照明機器３００に対応するタグリーダ２００のアンテナＩＤを登録しておき、自席近傍に位置し登録しているタグリーダ２００以外の下り電波４０２を受信した場合、応答をせずに自席近辺のタグリーダ２００とのみ通信することで、タグ１００の電池の消耗を小さくするという効果を奏する。
【００７８】
本実施の形態において、受信タイムアウト判定手段１０４が自席アンテナＩＤ登録手段に予め登録されているアンテナＩＤに対応するタグリーダが送信する下り電波４０２の受信を第２の時間以内に検知しているかどうかの判定をする方法、受信有無通知手段２０７が第２の時間以上アンテナＩＤ登録手段２０２に登録されているアンテナＩＤと一致するアンテナＩＤの受信が無いかどうかを判定する方法、また照明制御手段３０２が消灯指令を受けてから第２の時間以内に点灯指令を受けたかどうかを判定する方法は、タイマカウンタ等を用いて直近の受信からの経過時間を計測する方法や、直近の受信からの時刻を記憶しておき、現時刻との比較で経過時間を算出する方法などの一般的な方法であり、同一の機能が実現できればどのような方法を用いてもよい。
【００７９】
本実施の形態において、タグリーダ２００と照明機器３００は１対１でなくとも構わない。例えば１つのタグリーダ２００で複数個の照明機器３００を制御しても構わないし、逆に２つ以上のタグリーダ２００で１つの照明機器３００を制御しても構わない。
【００８０】
２つ以上のタグリーダ２００で１つの照明機器３００を制御する方法としては、各タグリーダ２００の受信有無通知手段２０７の通知信号を入力とした比較的簡単な組み合わせ回路や順序回路などのハードウエア処理あるいはソフトウエア処理にて実現可能である。
【００８１】
本実施の形態において、受信有無通知手段２０７からの点灯指令及び消灯指令にて照明器具３００の照明３０１の点灯／消灯の制御を行っているが、現在上り電波４０３を受信しているタグ１００の個数をカウントして、個数を照明制御手段３０２に通知するというようにしても構わない。
【００８２】
タグ１００が各タグを識別するのに通常備えているタグＩＤを上り電波４０３に追加してタグリーダ２００に送信し、第１の時間内にタグ２００が受信したタグＩＤの個数をカウントすればよい。
【００８３】
照明機器３００の照明制御手段３０２は点灯／消灯状態を制御しているが、通知を受けた受信しているタグＩＤの個数によって照明３０１の照度を変えるなどの制御を行っても構わない。
【００８４】
さらに、照明機器３００の照明制御手段３０２はタグリーダ２００からの指令内容や指令を受けてからの時間などで消灯／点灯／照度の変更等どのような制御を行っても構わない。
【００８５】
また、本実施の形態ではタグ及びタグリーダを用いているが、タグ及びタグリーダに限定するものではなく、例えばアンテナや携帯電話やスマートフォン等同等の機能を備えた装置及び機器であればよい。
【００８６】
その他、構成の一部を変形しても、また一部を省略してもよく、本実施の形態と同様の効果を奏するものと考えられる。
【００８７】
実施の形態２
以下、本実施の形態の構成及び動作を図９〜図１０を用いて説明する。なお、図９中、図３と同一符号は同一又は相当部分を示す。図１０中、図４と統一符号は同一又は相当部分を示す。請求項中のエリアとは、本実施の形態においても図示しない部屋のことを指すが、例えば街頭などが設置されている広場や、屋内のホールなど、屋内屋外は問わない。
図９は、本実施の形態における照明システムの詳細構成図である。なお、請求項中の送信手段とは本実施の形態ではタグ送信手段１０６のことを指す。
【００８８】
タグ１００は、タグ受信手段１０１、アンテナＩＤ抽出手段１０２、アンテナＩＤ判定手段１０３、受信タイムアウト判定手段１０４、自席アンテナＩＤ登録手段１０５及びタグ送信手段１０６、通信頻度制御手段１０７、前回通信アンテナＩＤ登録手段１０８からなる。図３と同一符号の項目に関しては説明を省略する。
【００８９】
前回通信アンテナＩＤ登録手段１０８は、前回通信したタグリーダ２００を識別するアンテナＩＤを登録しておく。通信頻度制御手段１０７は前回通信アンテナＩＤ登録手段１０８に登録されているアンテナＩＤを基に、同じアンテナからの通信が第３の時間以上続いているかどうかを判定する。同じアンテナからの通信が続いている場合、アンテナＩＤ判定手段１０３及び受信タイムアウト判定手段１０４からのタグ送信手段１０６に対するアンテナＩＤの送信指令を、１回スキップもしくは複数回に１回スキップする。
【００９０】
なお、第３の時間はタグリーダ２００の送信頻度（例えば２５０ミリ秒）にくらべて充分長い時間を想定すればよい（例えば１秒）。第３の時間は照明システムの管理者が適宜変更できるようにしてもよい。
【００９１】
次に本実施の形態の動作について説明する。図１０は、タグ１００の動作を表すフローチャートであり、タグリーダ２００が送信した下り電波４０２をタグ１００が受信したときに実行される。
【００９２】
下り電波受信手段１０１は、タグリーダ２００からの下り電波４０２を受信する（Ｓ１０１）。
【００９３】
アンテナＩＤ抽出手段１０２は、タグ受信手段１０１で受信した下り電波４０２に含まれるデータからアンテナＩＤを抽出する（Ｓ１０２）。
【００９４】
アンテナＩＤ判定手段１０３は、自席アンテナＩＤ登録手段１０５に予め登録されているアンテナＩＤの中にＳ１０２で抽出したアンテナＩＤが有るかどうかを判定する（Ｓ１０３）。
【００９５】
Ｓ１０３にて、自席アンテナＩＤ登録手段１０５に予め登録されているアンテナＩＤの中にＳ１０２で抽出したアンテナＩＤが有る場合（Ｓ１０３のＹ）、通信頻度制御手段１０７は前回通信アンテナＩＤ登録手段に登録されているアンテナＩＤで識別されるタグリーダ２００への応答が第３の時間以上続いているかどうかを判定する（Ｓ１０６）。
【００９６】
通信頻度制御手段１０７が前回通信アンテナＩＤ登録手段に登録されているアンテナＩＤで識別されるタグリーダ２００からの応答が第３の時間以上続いていると判定した場合（Ｓ１０６のＹ）、通信頻度制御手段１０７は前回の応答をスキップしているかどうかを判定する（Ｓ１０７）。
【００９７】
通信頻度制御手段１０７が前回の応答をスキップしていると判定した場合（Ｓ１０７のＹ）、受信した下り電波４０２を送信したタグリーダ２００に対して、アンテナＩＤを送信するようにタグ送信手段１０６に指令を出し、タグ送信手段１０６はタグリーダ２００に対して上り電波４０３を送信後、処理を終了する（Ｓ１０４）。
【００９８】
通信頻度制御手段１０７が前回の応答をスキップしていないと判定した場合（Ｓ１０７のＹ）、受信タイムアウト判定手段１０４はタグ送信手段１０６への送信指令を送信しない。その結果、タグ送信手段１０６は何も送信せずに処理を終了する（Ｓ１０４）。
【００９９】
通信頻度制御手段１０７が前回通信アンテナＩＤ登録手段に登録されているアンテナＩＤで識別されるタグリーダ２００からの応答が第３の時間以上続いていないと判定した場合（Ｓ１０６のＹ）、受信した下り電波４０２を送信したタグリーダ２００に対して、アンテナＩＤを送信するようにタグ送信手段１０６に指令を出し、タグ送信手段１０６はタグリーダ２００に対して上り電波４０３を送信後、処理を終了する（Ｓ１０４）。
【０１００】
Ｓ１０３にて、自席アンテナＩＤ登録手段１０５に予め登録されているアンテナＩＤの中にＳ１０２で抽出したアンテナＩＤが無い場合（Ｓ１０３のＹ）、受信タイムアウト判定手段１０４は自席アンテナＩＤ登録手段１０５に予め登録されているアンテナＩＤに識別されるタグリーダ１００からの下り電波４０２を第２の時間以内に検知したかどうかを判定する（Ｓ１０５）。
【０１０１】
Ｓ１０５にて、自席アンテナＩＤ登録手段１０５に予め登録されているアンテナＩＤに識別されるタグリーダ２００からの下り電波４０２を第２の時間以内に検知した場合（Ｓ１０５のＹ）、受信タイムアウト判定手段１０４はタグ送信手段１０６への送信指令を送信しない。その結果、タグ送信手段１０６は何も送信せずに処理を終了する。
【０１０２】
Ｓ１０５にて、自席アンテナＩＤ登録手段１０５に予め登録されているアンテナＩＤに識別されるタグリーダ２００からの下り電波４０２を第２の時間以内に検知しなかった場合（Ｓ１０５のＮ）、通信頻度制御手段１０７は前回通信アンテナＩＤ登録手段に登録されているアンテナＩＤで識別されるタグリーダ２００への応答が第３の時間以上続いているかどうかを判定する（Ｓ１０６）。
【０１０３】
通信頻度制御手段１０７が前回通信アンテナＩＤ登録手段に登録されているアンテナＩＤで識別されるタグリーダ２００からの応答が第３の時間以上続いていると判定した場合（Ｓ１０６のＹ）、通信頻度制御手段１０７は前回の応答をスキップしているかどうかを判定する（Ｓ１０７）。
【０１０４】
通信頻度制御手段１０７が前回の応答をスキップしていると判定した場合（Ｓ１０７のＹ）、受信した下り電波４０２を送信したタグリーダ２００に対して、アンテナＩＤを送信するようにタグ送信手段１０６に指令を出し、タグ送信手段１０６はタグリーダ２００に対して上り電波４０３を送信後、処理を終了する（Ｓ１０４）。
【０１０５】
通信頻度制御手段１０７が前回の応答をスキップしていないと判定した場合（Ｓ１０７のＹ）、受信タイムアウト判定手段１０４はタグ送信手段１０６への送信指令を送信しない。その結果、タグ送信手段１０６は何も送信せずに処理を終了する（Ｓ１０４）。
【０１０６】
通信頻度制御手段１０７が前回通信アンテナＩＤ登録手段に登録されているアンテナＩＤで識別されるタグリーダ２００からの応答が第３の時間以上続いていないと判定した場合（Ｓ１０６のＹ）、受信した下り電波４０２を送信したタグリーダ２００に対して、アンテナＩＤを送信するようにタグ送信手段１０６に指令を出し、タグ送信手段１０６はタグリーダ２００に対して上り電波４０３を送信後、処理を終了する（Ｓ１０４）。
【０１０７】
上述したとおり、本実施の形態でも実施の形態１と同様、タグ１００に予め自席の近傍にある照明機器３００に対応するタグリーダ２００のアンテナＩＤを登録しておき、自席近傍に位置し登録しているタグリーダ２００以外の下り電波４０２を受信した場合、応答をせずに自席近辺のタグリーダ２００とのみ通信することで、タグ１００の電池の消耗を小さくするという効果を奏する。さらに、本実施の形態では、同じタグリーダ２００からの受信が続いた場合、利用者は同じ場所に留まっている状態であるとして、タグリーダへの応答を数回に１回のみ行えばよく、タグ１００の電池の消耗を実施の形態１よりさらに小さくする効果を奏する。
【０１０８】
本実施の形態において、同じタグリーダ２００からの受信が続いたときに、通信頻度制御手段１０７によってタグ１００の応答は所定の回数２回に対して１回としたが、当然ながら任意の回数毎に１回にしても構わないし、ランダムな間隔で間引いても構わない。第１の時間（タグリーダ２００が照明機器３００に消灯指令を送信する受信間隔）よりも充分短い時間であれば問題ない。
【０１０９】
本実施の形態においても、実施の形態１と同様、受信タイムアウト判定手段１０４が自席アンテナＩＤ登録手段に予め登録されているアンテナＩＤに対応するタグリーダ２００が送信する下り電波４０２の受信を第２の時間以内に検知しているかどうかの判定をする方法、受信有無通知手段２０７が第３の時間以上アンテナＩＤ登録手段２０２に登録されているアンテナＩＤと一致するアンテナＩＤの受信が無いかどうかを判定する方法、また照明制御手段３０２が消灯指令を受けてから第４の時間以内に点灯指令を受けたかどうかを判定する方法は、タイマカウンタ等を用いて直近の受信からの経過時間を計測する方法や、直近の受信からの時刻を記憶しておき、現時刻との比較で経過時間を算出する方法などの一般的な方法であり、同一の機能が実現できればどのような方法を用いてもよい。
【０１１０】
本実施の形態においても、実施の形態１と同様、タグリーダ２００と照明機器３００は１対１でなくとも構わない。例えば１つのタグリーダ２００で複数個の照明機器３００を制御しても構わないし、逆に２つ以上のタグリーダ２００で１つの照明機器３００を制御しても構わない。
【０１１１】
２つ以上のタグリーダ２００で１つの照明機器３００を制御する方法としては、各タグリーダ２００の受信有無通知手段２０７の通知信号を入力とした比較的簡単な組み合わせ回路や順序回路などのハードウエア処理あるいはソフトウエア処理にて実現可能である。
【０１１２】
本実施の形態においても、実施の形態１と同様、受信有無通知手段２０７からの点灯指令及び消灯指令にて照明器具３００の照明３０１の点灯／消灯の制御を行っているが、現在上り電波４０３を受信しているタグ１００の個数をカウントして、個数を照明制御手段３０２に通知するというようにしても構わない。
【０１１３】
タグ１００が各タグを識別するのに通常備えているタグＩＤを上り電波４０３に追加してタグリーダ２００に送信し、第１の時間内にタグ２００が受信したタグＩＤの個数をカウントすればよい。
【０１１４】
照明機器３００の照明制御手段３０２は点灯／消灯状態を制御しているが、通知を受けた受信しているタグＩＤの個数によって照明３０１の照度を変えるなどの制御を行っても構わない。
【０１１５】
さらに、照明機器３００の照明制御手段３０２はタグリーダ２００からの指令内容や指令を受けてからの時間などで消灯／点灯／照度の変更等どのような制御を行っても構わない。
【０１１６】
また、本実施の形態においても、実施の形態１と同様、タグ及びタグリーダを用いているが、タグ及びタグリーダに限定するものではなく、例えばアンテナや携帯電話やスマートフォン等同等の機能を備えた装置及び機器であればよい。
【０１１７】
その他、構成の一部を変形しても、また一部を省略してもよく、本実施の形態と同様の効果を奏するものと考えられる。
【産業上の利用可能性】
【０１１８】
本発明は、ＲＦＩＤタグを用いて利用者の位置する箇所近傍の照明の点灯／消灯を制御する照明システムに適用することができる。
【符号の説明】
【０１１９】
１００  タグ  １０１  タグ受信手段  １０２  アンテナＩＤ抽出手段
１０３  アンテナＩＤ判定手段  １０４  受信タイムアウト判定手段
１０５  自席アンテナＩＤ登録手段  １０６  タグ送信手段  １０７通信頻度制御手段
１０８  前回通信アンテナＩＤ登録手段
２００  タグリーダ  ２０１  タグ起動信号生成手段  ２０２  アンテナＩＤ登録手段
２０３  多重部  ２０４  タグリーダ送信手段  ２０５  タグリーダ受信手段
２０６  アンテナＩＤ抽出手段  ２０７  受信有無抽出手段
２００ａ  照明機器３００ａに対応するタグリーダ
２００ｂ  照明機器３００ｂに対応するタグリーダ
２００ｃ  照明機器３００ｃに対応するタグリーダ
２００ｄ  照明機器３００ｄに対応するタグリーダ
２００ｅ  照明機器３００ｅに対応するタグリーダ
２００ｆ  照明機器３００ｆに対応するタグリーダ
３００  照明機器  ３０１  照明  ３０２  照明制御手段
３００ａ、３００ｂ、３００ｃ、３００ｂ  部屋内に設置された照明機器
３０１ａ  ３００ａに接続された照明
３０１ｂ  ３００ｂに接続された照明
３０１ｃ  ３００ｃに接続された照明
３０１ｄ  ３００ｄに接続された照明
３０１ｅ  ３００ｅに接続された照明
３０１ｆ  ３００ｆに接続された照明
４０１  利用者  ４０２  下り電波（タグリーダからタグへの電波）  ４０３  上り電波（タグからタグリーダへの電波）  ４０４  自席  ４０５  天井
４０２ａ  タグリーダ２００ａが送信する下り電波圏内
４０２ｂ  タグリーダ２００ｂが送信する下り電波圏内
４０２ｃ  タグリーダ２００ｃが送信する下り電波圏内
４０２ｄ  タグリーダ２００ｄが送信する下り電波圏内
４０３ａ  タグ１００がタグリーダ２００ａに送信する上り電波
４０３ｂ  タグ１００がタグリーダ２００ｂに送信する上り電波
４０３ｄ  タグ１００がタグリーダ２００ｄに送信する上り電波
【図１】
0006311527.tif 000002
【図２】
0006311527.tif 000003
【図３】
0006311527.tif 000004
【図４】
0006311527.tif 000005
【図５】
0006311527.tif 000006
【図６】
0006311527.tif 000007
【図７】
0006311527.tif 000008
【図８】
0006311527.tif 000009
【図９】
0006311527.tif 000010
【図１０】
0006311527.tif 000011